(57)【要約】【課題】コイルばねを用いる場合にも付勢力の強弱を増大したり反転後の付勢力を大きく確保可能にする。【解決手段】本体１に対し回動可能に枢支されて閉位置と開位置とに切り換えられる可動体２と、可動体２を閉位置と開位置との間のある回動角を境として閉方向又は開方向へ反転可能に付勢する付勢部材３とを備えている開閉装置において、本体１に対し揺動可能に枢支されて可動体２に作動連結されるローター４を有しているとともに、付勢部材３の一端側を可動体２に係止し、付勢部材３の他端側をローター４に係止している。【選択図】図１
2007270499.tif 000002
【特許請求の範囲】
【請求項１】
本体に対し回動可能に枢支されて閉位置と開位置とに切り換えられる可動体と、前記可動体を閉位置と開位置との間のある回動角を境として閉方向又は開方向へ反転可能に付勢する付勢部材とを備えている可動体用開閉装置において、
前記本体に対し揺動可能に枢支されて前記可動体に作動連結されるローターを有しているとともに、前記付勢部材の一端側を前記可動体に係止し、前記付勢部材の他端側を前記ローターに係止していることを特徴とする可動体用開閉装置。
【請求項２】
前記可動体は、支持用アームを有しているとともに、前記付勢部材が直線形のコイルばねからなり、前記アームに対し前記コイルばねの一端を係止していることを特徴とする請求項１に記載の可動体用開閉装置。
【請求項３】
前記可動体のアームに設けられたピンと、前記ローターに設けられて前記ピンと解除可能に嵌合する凹部とを有し、前記可動体を閉位置又は開位置からそれぞれ開方向又は閉方向へ回動する過程で前記ピンと前記凹部との嵌合、更に嵌合解除を伴って前記ローターを揺動するとともに、前記付勢部材の付勢方向を反転することを特徴とする請求項２に記載の可動体用開閉装置。
【請求項４】
前記可動体のアームが円板部及び該円板部の周囲に設けられた凹部と、前記ローターに設けられて前記凹部と解除可能に嵌合する凸部とを有し、前記可動体を閉位置又は開位置からそれぞれ開方向又は閉方向へ回動する場合に前記凹部と前記凸部との嵌合、更に嵌合解除を伴って前記ローターを揺動するとともに、前記付勢部材の付勢方向を反転することを特徴とする請求項２に記載の可動体用開閉装置。
【請求項５】
請求項３又は４の可動体の開閉装置において、前記ローターは、前記本体に設けられた２カ所の規制部によりその揺動範囲が規制されることを特徴とする請求項１に記載の可動体用開閉装置。
【発明の詳細な説明】
【技術分野】
【０００１】
本発明は、本体に対しリッド等の可動体を閉位置と開位置とに回動切り換える場合に好適な可動体用開閉装置に関する。
【背景技術】
【０００２】
図７は特許文献１のリッド用開閉装置を、（ａ）がリッドの閉位置で、（ｂ）がリッドの開位置で示している。この開閉装置１は、本体（フレーム）２に対し回動可能に枢支されて閉位置と開位置とに切り換えられるリッドＬと、リッドＬを閉位置と開位置との間のある回動角を境として閉方向又は開方向へ反転可能に付勢する捻りコイルばね９とを備えている。リッドＬは、支持用アーム３を有し、本体２に対しアーム３の先端側が枢軸４を介して枢支される。アーム３の先端側には、ダンパー６のピニオン７と噛み合うギア５が枢軸４を中心とした円弧状に設けられている。捻りコイルばね９は、中間のコイル部９ａと、コイル部９ａの各端から延出された両側の延出部９ｂ，９ｃとを有し、一方延出部９ｂがリッド側に係止され、他方延出部９ｃが本体側に係止されている。そして、リッドＬは、（ａ）の閉位置において、捩りコイルばね９が両延出部間の内角を拡大する向きの付勢力を発揮し、その付勢力により閉位置に保持されている。この状態から、リッドＬは開方向へ捻りコイルばね９の付勢力に抗して回動操作され、ある角度を超えると、（ｂ）に示されるように捩りコイルばね９の付勢力が反転し、それ以後は、捩りコイルばね９の付勢力により開位置へ回動される。以上のような開閉装置は、リッドが開位置又は閉位置から途中まで回動操作されると、後は閉方向又は開方向へ付勢力で回動切り換えられるため操作性に優れるとともに、リッドが閉位置と開位置で共に付勢されているためラッチ機構等の保持手段を省略できる。用途は、例えば、自動車のインストルメントパネルに設けられているグローブボックスにおけるリッドの開閉機構に採用されている（特開２００５−２６３２３７号公報の図５を参照）。
【０００３】
【特許文献１】特開２００１−３３６３号公報（図１と図３）
【発明の開示】
【発明が解決しようとする課題】
【０００４】
上記特許文献１のような装置構造では、例えば、略Ｕ形の捻りコイルばね９を使用しているため付勢力が反転時に過大になったり、捻りコイルばね９が一方延出部９ｂをリッド側に係止し他方延出部９ｃを本体側に係止した状態で、略Ｕ形に配置されている関係で付勢方向を反転するときに他の部材と干渉して異音を発生し易くなる。この対策としては、捻りコイルばねに代えて直線形のコイルばね（引張りコイルばね）を使用し、コイルばねの一端をリッド側に係止し、他端を本体側に係止することも考えられる。しかし、その場合は、例えば、コイルばねの他端が固定されている関係で付勢力の強弱に欠け、例えば、反転後の付勢力（リッドに対する回転トルク）が小さくなる。
【０００５】
本発明は、以上のような課題を解消して、可動体を閉位置と開位置との間のある回動角を境として閉方向又は開方向へ反転可能に付勢する付勢部材を備えた構造において、直線形のコイルばね（引張りコイルばね）を用いる場合にも付勢力の強弱を増大したり反転後の付勢力を大きく確保可能にすることを目的としている。
【課題を解決するための手段】
【０００６】
上記した目的を達成するため本発明は、本体に対し回動可能に枢支されて閉位置と開位置とに切り換えられる可動体と、前記可動体を閉位置と開位置との間のある回動角を境として閉方向又は開方向へ反転可能に付勢する付勢部材とを備えている可動体用開閉装置において、前記本体に対し揺動可能に枢支されて前記可動体に作動連結されるローターを有しているとともに、前記付勢部材の一端側を前記可動体に係止し、前記付勢部材の他端側を前記ローターに係止していることを特徴としている。なお、以上の本体はケース、ハウジング、車室内や機器類のパネル等を含む。また、可動体としてはリッド、蓋、扉、カバー等を含む。
【０００７】
以上の本発明は、請求項２〜５のように具体化されることが好ましい。すなわち、
（ア）前記可動体は、支持用アームを有しているとともに、前記付勢部材が直線形のコイルばねからなり、前記アームに対し前記コイルばねの一端を係止している構成である（請求項２）。
（イ）前記可動体のアームに設けられたピンと、前記ローターに設けられて前記ピンと解除可能に嵌合する凹部とを有し、前記可動体を閉位置又は開位置からそれぞれ開方向又は閉方向へ回動する過程で前記ピンと前記凹部との嵌合、更に嵌合解除を伴って前記ローターを揺動するとともに、前記付勢部材の付勢方向を反転する構成である（請求項３）。
（ウ）前記可動体のアームが円板部及び該円板部の周囲に設けられた凹部と、前記ローターに設けられて前記凹部と解除可能に嵌合する凸部とを有し、前記可動体を閉位置又は開位置からそれぞれ開方向又は閉方向へ回動する場合に前記凹部と前記凸部との嵌合、更に嵌合解除を伴って前記ローターを揺動するとともに、前記付勢部材の付勢方向を反転する構成である（請求項４）。
（エ）請求項３又は４の可動体の開閉装置において、前記ローターは、前記本体に設けられた２カ所の規制部によりその揺動範囲が規制される構成である（請求項５）。
【発明の効果】
【０００８】
請求項１と２の発明は、付勢部材が一端側を可動体に係止し他端側を揺動可能なローターに係止されているため、付勢部材の他端側を本体に対し位置固定している構造に比べ、例えば、請求項２のように直線形のコイルばねを用いる場合にも付勢力の強弱を増大したり、可動体を開位置や閉位置から回動したときに付勢部材の反転時期を早くしたり、反転後の付勢力を大きくするなど改善して操作感を向上できるようにする。また、請求項３と４の発明はローターが可動体に作動連結される構造として、図１〜図３の形態及び図４〜図６の形態を特定することで明瞭化し、請求項５の発明はローターの揺動範囲が本体側の規制部により規制される点を明瞭化したことに意義がある。
【発明を実施するための最良の形態】
【０００９】
以下、本発明形態として、図１〜図３に示した第１形態と、図４〜図６に示した第２形態について説明する。この説明では、各形態に共通した全体の構造、各形態毎の要部構造及び作動の順に詳述する。なお、各形態では同じ部材か類似する部材に同一符号を付している。
【００１０】
（全体の構造）各形態例の開閉装置は、 本体１に対しリッド２を本体１の開口をほぼ全開する開位置と、開口を塞ぐ閉位置とに回動切り換える構成であり、リッド２を閉位置と開位置との間のある回動角を境として閉方向又は開方向へ反転可能に付勢する付勢部材として直線形のコイルばね（引張りコイルばね）３を有している。ここで、本体１は、概略形状が前開口した矩形立体からなり、背面１０及び両側面１１並びに上下面１２，１３などで区画されている。リッド２は、閉位置でケース本体１の前開口を塞ぐ大きさの矩形板部２０と、板部２０の左右側部にそれぞれ取り付けられたアーム２１，２１とを有している。各アーム２１は自由端側が円板部２２又は２３に形成されている。そして、リッド２は、各アーム２１がケース本体１の対応側面１１にそれぞれ配置され、円板部２２又は２３の中心がボルト等の枢軸６を介して枢支されることで回動可能に取り付けられている。本体１の各側面１１には、アーム側の円板部２２又は２３に作動連結されるローター４又は５がボルト等の枢軸７を介して揺動可能に枢支されている。コイルばね３は、一端３ａがリッド側の円板部２２又は２３に係止され、他端５ｂがローター４又は５に係止されている。
【００１１】
なお、発明対象の開閉装置は色々な分野に適用可能である。一例としては、上記したように、自動車のインストルメントパネルに設けられているグローブボックスを本体とし、該グローブボックス用リッドを可動体とした構成である。
【００１２】
（第１形態の要部）図１〜図３において、円板部２２は、アーム２１側である上側半体２２ａに対し中心部を含む下側半体２２ｂが一段低い段差つまり薄く形成されている。そして、上側半体２２ａには、コイルばね３の一端３ａがねじ等の止め具８を介して係止されている。下側半体２２ｂには外周よりにピン２４が突設されている。
【００１３】
ローター４は、概略円盤状をなしているとともに、周囲の一部にピン２４と解除可能に嵌合する凹部４０を形成している。この凹部４０は、ローター周囲に突出部４１を設け、該突出部４１に対し外周側を底辺とし、ローター中心側を頂点とする概略三角形状の切欠部４２を形成し、該切欠部４２の狭くなった頂部に位置している。また、ローター４は、本体側面１１に対向する内端面において、中心（軸孔）側が一段厚く形成されることで、突出部４１が円板部２２の一段低い段差となっている下側半体２２ｂ上に配置可能となる。
【００１４】
以上のローター４は、本体側面１１に対し枢軸７により揺動可能に枢支される。その後、コイルばね３の他端３ｂは、ローター４の外端面のうち、凹部４０と最も離れる側、つまり枢軸６と枢軸７とを結ぶほぼ延長線上にねじ等の止め具９を介して係止されている。また、ローター４は、本体側面１１に設けられた２カ所の規制部１５，１６によりその揺動範囲が規制される。各規制部１５，１６は、枢軸６と枢軸７とを結ぶ線上を横切る枢軸６を中心とした円弧上の位置で、かつ枢軸６と枢軸７とを結ぶ線に対し上下対称の位置に設けられている。
【００１５】
（作動）以上の開閉装置は、特に、コイルばね３がその反転時期及び付勢力の大きさ等に自由度を得られるようにするため、アーム２１に設けられたピン２４と、ローター４に設けられた凹部４０とがリッド２を閉位置又は開位置からそれぞれ開方向又は閉方向へ回動する過程で嵌合し、更に嵌合解除を伴ってローター４を揺動し、コイルばね３の付勢方向を反転するようにしたものである。
【００１６】
すなわち、図１（ａ）はリッド２が閉位置に配置された状態である。この状態では、ローター４が上側の規制部１５に突出部４１の対応側面を当接して揺動規制され、リッド２がコイルばね３の付勢力を受けて閉位置に保持されている。なお、ピン２４は切欠部３２の対応辺部に非接触となっている。
【００１７】
図１（ｂ）はリッド２が閉位置から開方向へ回動操作された初期段階を示している。この回動操作では、リッド２がコイルばね３の付勢力に抗して（付勢力を増大しながら）回動され、ピン２４がその回動に伴って凹部４０に近づく。図２（ａ）はリッド２が更に開方向へ回動操作されてピン２４と凹部４０とが嵌合した直前を示している。ローター４は、ピン２４が凹部４０と嵌合すると同時に、逆時計回りに揺動されて突出部４１を両規制部１５，１６に対し非接触の状態となる。
【００１８】
図２（ｂ）はリッド２が更に開方向へ回動されてピン２４が凹部４０から完全に嵌合解除された状態を示している。ローター４は、嵌合解除と同時に下側の規制部１６に突出部４１の対応側面を当接して揺動規制される。リッド２は、嵌合解除と同時にコイルばね３に蓄えられた付勢力によって図３（ａ）の開位置まで自動的に回動される。そして、リッド２は、開位置においてコイルばね３の付勢力を受けて保持される。なお、ピン２４は、リッド２の回動に伴って凹部４０から離れるべく切欠部４２の対応下辺部に沿って非接触で移動される。
【００１９】
これに対し、図３（ｂ）はリッド２が開位置から閉方向へ回動操作されて、ピン２４がその回動に伴って図２（ｂ）と同様に凹部４０に嵌合された後、該嵌合解除される直前を示している。リッド２は、この係合解除状態から、ローター４が揺動されて上側の規制部１５に突出部４１の対応側面を当接して揺動規制されるとともに、コイルばね３の付勢力で閉位置まで自動的に回動される。
【００２０】
（第２形態の要部）図４〜図６において、円板部２３には凹部２５，２６が外周の２カ所に所定角度を保って形成されている。そして、円板部２３には、コイルばね３の一端３ａがねじ等の止め具８を介して係止されている。これに対し、ローター５は、概略円盤状の基体５０と、基体５０の外周に突出されている腕部５１とからなる。基体５０には凸部５２が外周に突設されている。凸部５２は、円板部２３の凹部２５，２６に選択的かつ解除可能に嵌合される。
【００２１】
以上のローター５は、基体５０が本体側面１１に対し枢軸７により揺動可能に枢支される。その後、コイルばね３の他端３ｂは、ローター５の腕部５１にねじ等の止め具９を介して係止されている。また、ローター５は、本体側面１１に設けられた２カ所の規制部１７，１８によりその揺動範囲が規制される。各規制部１７，１８は、枢軸６と枢軸７とを結ぶ線上を横切る枢軸７を中心とした円弧上の位置で、かつ枢軸６と枢軸７とを結ぶ線に対し上下対称の位置に設けられている。
【００２２】
（作動）以上の開閉装置は、特に、コイルばね３がその反転時期及び付勢力の大きさ等に自由度を得られるようにするため、アーム２１に設けられた凹部２５，２６と、ローター５に設けられた凸部５２とがリッド２を閉位置又は開位置からそれぞれ開方向又は閉方向へ回動する場合に凹部２５，２６の一方と凸部５２との嵌合、更に嵌合解除を伴ってローター５を揺動するとともに、コイルばね３の付勢方向を反転するようにしたものである。
【００２３】
すなわち、図４（ａ）はリッド２が閉位置に配置された状態である。この状態では、ローター５が下側の規制部１８に腕部５１の対応側面を当接して揺動規制され、リッド２がコイルばね３の付勢力を受けて閉位置に保持されている。なお、凸部５２は凹部２６の上内端部に嵌合している。
【００２４】
図４（ｂ）はリッド２が閉位置から開方向へ回動操作された初期段階を示している。この回動操作では、凸部５２と凹部２６との嵌合を保って、リッド２がコイルばね３の付勢力に抗して（付勢力を増大しながら）回動されるとともに、ローター５がリッド２の回動と連動して逆時計回りに揺動される。この結果、腕部５１は下側の規制部１８から離れる。
【００２５】
図５（ａ）はリッド２が更に開方向へ回動操作されて、ローター５が上側の規制部１７に腕部５１の対応側面を当接して揺動規制されるとともに、凸部５２が凹部２６から嵌合解除した直前を示している。リッド２は、この嵌合解除と同時にコイルばね３に蓄えられた付勢力によって図５（ｂ）の開位置まで自動的に回動される。そして、リッド２は、開位置においてコイルばね３の付勢力を受けて保持される。なお、凸部５２は、リッド２の回動に伴って次の凹部２５と対向する位置まで移動される。
【００２６】
これに対し、図６（ａ）はリッド２が開位置から閉方向へ回動操作されて、ローター５が凸部５２を凹部２５の下内端部に嵌合した状態で時計回りに若干回動された状態である。図６（ｂ）はリッド２が更に閉方向へ回動操作されて、ローター５が下側の規制部１８に腕部５１の対応側面を当接して揺動規制されるとともに、凸部５２が凹部２５から嵌合解除した直前を示している。リッド２は、この嵌合解除から更に若干回動されると、以後はコイルばね３に蓄えられた付勢力によって図４（ａ）の閉位置まで自動的に回動される。そして、リッド２は閉位置においてコイルばね３の付勢力で保持される。
【００２７】
なお、本発明は、請求項１で特定される構成を備えておればよく、細部は必要に応じて種々変更可能なものである。
【図面の簡単な説明】
【００２８】
【図１】発明第１形態をリッドの閉位置で示す模式構成図である。
【図２】第１形態の作動を示す模式構成図である。
【図３】第１形態の作動を示す模式構成図である。
【図４】発明第２形態をリッドの閉位置で示す模式構成図である。
【図５】第２形態の作動を示す模式構成図である。
【図６】第２形態の作動を示す模式構成図である。
【図７】特許文献１の開閉装置を示す説明図である。
【符号の説明】
【００２９】
１…本体（１０は背面、１１は側面、１２と１３は上下面）
２…リッド（可動体に相当し、２０は矩形板部、２１はアーム）
３…コイルばね（３ａは一端、３ｂは他端）
４…ローター（４０は凹部、４１は突出部、４２は切欠部）
５…ローター（５０は基体、５１は腕部、５２は凸部）
６，７…枢軸
８，９…止め具
２２…円板部（２２ａは上側半体、２２ｂは下側半体、２４はピン）
２３…円板部（２５と２６は凹部）
【図１】
2007270499.tif 000003
【図２】
2007270499.tif 000004
【図３】
2007270499.tif 000005
【図４】
2007270499.tif 000006
【図５】
2007270499.tif 000007
【図６】
2007270499.tif 000008
【図７】
2007270499.tif 000009